(57)【要約】      （修正有）【課題】分割された複数の光量調整材を配置する大面積の複層ガラスにおいて、端面に凹凸があっても、光量調整材同士が噛合って意匠が損われず、光量調整材が振動でずれず、更には任意の位置に光量調整材を部分的に配置したり、複数の異なる光量調整材を配置する事が可能な構造を提供する。【解決手段】複層ガラス１００の対向するスペーサー１０３ａ間に一つ以上の仕切材１０９を固設し、前記スペーサー１０３ａと仕切材で囲まれる空気層１０７内に複数の光量調整材１０８を配置する事により大面積の光量調整材１０８入り複層ガラス１００が製作可能になり、更には任意の位置に光量調整材１０８を部分的に配置したり、複数の異なる光量調整材１０８を配置する事が可能になる。【選択図】図１
2010105898.tif 000002
【特許請求の範囲】
【請求項１】
複層ガラスの対向するスペーサー間に一つ以上の仕切材を固設し、前記スペーサーと仕切材で囲まれる空気層内に複数の光量調整材を配置する事を特徴とする光量調整材入り複層ガラス。
【請求項２】
前記複層ガラスの対向するスペーサーの空気層の側面で幅方向の中央の所定位置に、対となるように雌ネジ孔を穿ち、この雌ネジ孔に支持材１１０の先端に形成した小径の雄ネジ部を捩じ込み、支持材１１０をスペーサーに固定した事を特徴とする請求項１に記載の光量調整材入り複層ガラス。
【請求項３】
複層ガラスの対向するスペーサー間に一つ以上の仕切材を固設し、前記スペーサーと仕切材で囲まれる空気層内に種類の異なる複数の光量調整材を配置する事を特徴とする請求項１又は請求項２に記載の光量調整材入り複層ガラス。
【請求項４】
複層ガラスの対向するスペーサー間に一つ以上の仕切材を固設し、前記スペーサーと仕切材で囲まれる空気層内に光量調整材を配置しない部分と一つ又は複数の光量調整材を配置する事を特徴とする請求項１又は請求項２に記載の光量調整材入り複層ガラス。
【請求項５】
空気層内に配置する光量調整材がハニカム材で構成された事を特徴とする請求項１〜４項記載の光量調整材入り複層ガラス。
【請求項６】
空気層内に配置する光量調整材がルーバー材で構成された事を特徴とする請求項１〜４項記載の光量調整材入り複層ガラス。
【請求項７】
空気層内に配置する光量調整材が棒状のアクリル材と前記棒状のアクリル材が通過する穴を穿ったアクリル板材から構成された事を特徴とする請求項１〜４項記載の光量調整材入り複層ガラス。
【発明の詳細な説明】
【技術分野】
【０００１】    本発明は対向するスペーサー間に仕切材を内挿固設し、スペーサーと仕切材で囲まれる空気層内に光量調整材を配置した複層ガラス関する。
【背景技術】
【０００２】  従来、複層ガラスの空気層内にアルミハニカム等の光量調整材配置して太陽光を拡散制御したり、装飾用として用いられる光量調整材入り複層ガラスが知られている。（例えば特許文献１）
【特許文献１】実開平５−８９４２６号公報
【発明の開示】
【発明が解決しようとする課題】
【０００３】    以上に述べた従来の光量調整材入り複層ガラスにおいて、一つの光量調整材の大きさに製造上の制限がある場合、大面積の光量調整材入り複層ガラスを製作するには分割された複数の光量調整材を配置する事になるが、光量調整材の端面に凹凸があると、光量調整材同士が噛合ってしまい意匠が損われたり、光量調整材が振動でずれてしまう等の欠点があった。更には任意の位置に光量調整材を部分的に配置したり、複数の異なる光量調整材を配置する事が困難であった。【０００４】  本発明は、従来の問題点を解消し安価で容易に製作出来る光量調整材入り複層ガラスを提供する事を目的とするものである。
【課題を解決するための手段】
【０００５】    本発明は、２枚のガラスの四周にコーナーキーにより四隅を接続したスペーサーを配置し、スペーサーとガラスの間はブチルゴム等からなる一次封着剤で封止し、スペーサー外周の空間はポリサルファイドやシリコンシーラント等の二次封着剤で封止される複層ガラスにおいて、前記複層ガラスの対向するスペーサー間に一つ以上の仕切材を固設し、前記スペーサーと仕切材で囲まれる空気層内に複数の光量調整材を配置する事により大面積の光量調整材入り複層ガラスが製作可能になり、更には任意の位置に光量調整材を部分的に配置したり、複数の異なる光量調整材を配置するが可能になる。【０００６】    本発明の一態様は、対向するスペーサー間に一つ以上の仕切材を固設し、この仕切材とスペーサーにより区切られた空気層内に複数の光量調整材を配置する事により、光量調整材同士が噛合って意匠を損う事がなく大面積の光量調整材入り複層ガラスを製作する事が出来る。【０００７】    又、本発明の他の態様は対向するスペーサー間に一つ以上の仕切材を固設し、この仕切材とスペーサーにより区切られた空気層内に種類の異なる複数の光量調整材を配置する事により、意匠的に変化に富む大面積の光量調整材入り複層ガラスを製作する事が出来る。【０００８】    又、本発明のさらなる態様として、対向するスペーサー間に一つ以上の仕切材を固設し、この仕切材とスペーサーにより区切られた空気層内一部に、一つ又は複数の光量調整材を配置する事により光量調整材がない透明部分と光量調整材のある部分を形成し、意匠的に変化に富む光量調整材入り複層ガラスとする事が出来る。【０００９】    仕切材の固設方法については、まず対向するスペーサーの対向面に小径の雌ネジ孔を穿いた後、先端に小径の雄ネジ部を設けた丸棒状の支持材を捩じ込んで固定しておき、他のスペーサーと共にコーナーキーを用いて四辺形状の枠体を組立てる。その後この枠体の片面にブチルゴム等からなる一次封着剤を貼付け、一次封着剤側を一面のガラス板に貼付け固定し仕切材とスペーサーにより形成された空気層内に光量調整材を適宜配置して行く。光量調整材を配置した後、スペーサーのもう一方の面に前記と同様にブチルゴム等からなる一次封着剤を貼付け、他面のガラス板を重ねて圧着する。圧着後、スペーサー外周に二次封着剤を充填し複層ガラスとする。【００１０】    仕切材と支持材のもう一つの態様としては、仕切材として新規の部材を使用せず、周囲のスペーサーとして使用している材料を、そのまま転用して製作を容易にすると共に、支持材として丸棒状ではなく断面六角形状で先端に小径のオネジが形成された市販されている部材を転用する事も出来る。
【発明を実施するための最良の形態】
【００１１】    本発明の第一の実施形態に係る構成を図１〜図４に示す。図１は第一実施例の正面図、図２は図１のＡ−Ａ断面図、図３は図１のＢ−Ｂ断面図（光量調整材は図示せず。）、図４はコーナー部分の断面図（光量調整材は図示せず。）を示す。【００１２】    この光量調整材入り複層ガラス１００は２枚のガラス板材１０１四周の周囲部１０２には、対向する２組の中空体のスペーサー１０３ａ、１０３ｂと四隅のコーナーキー１０４により四方枠が形成され、スペーサー１０３ａ、１０３ｂとガラス板間は一次封着材１０５によって封止されると共に、枠状体の外周部は二次封着材１０６によって封止されて、内部には空気層１０７が形成される。この空気層内に複数の光量調整材１０８が配置されるが、光量調整材１０８間には、一つ以上の仕切材１０９が前記の対向するスペーサー１０３ａの間に支持材１１０によって固設されている。【００１３】    この光量調整材入り複層ガラス１００を組み付ける順序は、まず対向するスペーサー１０３ａの空気層の側面で幅方向の中央の所定位置に、対となるように雌ネジ孔１１１を穿ち、この雌ネジ孔１１１に丸棒状の支持材１１０の先端に形成した小径の雄ネジ部１１２を捩じ込み、支持材１１０をスペーサー１０３ａに固定する。前記支持材１１０が固定された一方のスペーサー１０３ａ、及びこれと直交する２本のスペーサー１０３ｂとを二つのコーナーキーにより、コの字状の三辺枠を形成した後、中空の仕切材１０９を支持材１１０に差込む。次に他方のスペーサー１０３ａに、残り二つのコーナーキーを差込み、コーナーキー他端とスペーサー１０３ｂの開放端、及び前記仕切材１０９の開放端と支持材１１０とを同時に差込み四方枠を形成する。【００１４】    尚、仕切材１０９の断面形状は図３に示すように矩形の中空形状とし、長辺はスペーサー１０３ａの幅と略同じとすると共に、支持材１１１は丸棒状とし、丸棒断面の外径は前記仕切材１０９の短辺内接径と略同じ径とする事により、ガラス面内方向のガタツキを押える事が出来る。ガラス面外方向のガタツキは一次封着剤１０５の厚み分でコンマ数ミリと僅かなので、空気層１０７内で仕切材１０９が回転してずれる事もない。又、スペーサー１０３ａ、１０３ｂ内部には図２に示すように乾燥剤１１３を充填しておき、スペーサー１０３ａ、１０３ｂの空気層側には、例えば複数列の小孔を形成しておく事により、空気層内の湿気を乾燥剤１１３が吸収するので空気層１０７内での結露を防止する。コーナーキー１０４の形状は、例えば図４に示すようにＬ型形状のプラスチィックで先端を斜めに形成してスペーサー１０３ａ、１０３ｂに挿入し易くする。【００１５】    光量調整材１０８はアルミ等からなるハニカム材で高さはスペーサー１０３ａ、スペーサー１０３ｂの幅と略同じ高さで、２枚のガラス１０１との隙間は一次封着剤１０５の厚み分で僅かな隙間を形成する。又、光量調整材１０８の外周はカッター等で切断されており切口の形状は不規則であるが、スペーサー１０３ａ、スペーサー１０３ｂと仕切材１０９とは平面で当接するので、周囲のハニカム形状が変形する事はない。ハニカム材のひとつのセルサイズは適宜選択でき意匠に富む光量調整材入り複層ガラス１���０が得られる。更には窓ガラスとして太陽光が当ると太陽光の入射角により太陽光を拡散したり、遮蔽する事ができる。尚、光量調整材の大きさは皆同じ大きさである必要はなく適宜大きさを変える事は自由にできる。【００１６】    本発明の第二の実施形態に係る構成を図５〜図７に示す。図５は第二の実施例の正面図、図６は図５のＡ−Ａ断面図、図７は図５のＢ−Ｂ断面図（光量調整材は図示せず。）を示す。【００１７】    この光量調整材入り複層ガラス２００は、前記光量調整材入り複層ガラス１００とは三つの点で異なり、一つ目は空気層２０７内に配置された光量調整材の内、中段の光量調整材２０８ｂが上下段の２０８ａとはセルの方向が異なり、光量調整材２０８ａは六角形の平行な辺が垂直方向に配置されているのに対し、光量調整材２０８ｂは六角形の平行な辺が水平方向に配置されている。このように種類の異なる光量調整材を配置する事で変化に富んだ意匠が得られ、太陽光の拡散・遮蔽も変化させる事ができる。【００１８】    二つ目に異なる点は、仕切材２０９の断面形状が異なる。仕切材２０９は仕切材１０９が断面形状が矩形の中空形状であるのに対し、新規部材を使用せずにスペーサーを転用しているため、スペーサー２０３ａ、２０３ｂと同じ断面となっている。【００１９】三つ目に異なる点は、支持材１１０が丸棒状の形状であるのに対し、支持材２１０の断面形状が六角断面形状であり、六角断面の対向する辺の幅は支持材２１０の短辺内接径と略同じになっており、前記実施例と同様にガラス面内方向のガタツキを押える事ができ、空気層２０７内で仕切材２０９が回転してずれる事もない。尚、スペーサー２０３ａに穿つ雌ネジ孔２１１と支持材２１０の先端に形成した小径の雄ネジ部２１２は前記実施例と同一であり、雌ネジ孔２１１に支持材２１０の先端に形成した小径の雄ネジ部２１２を捩じ込み、支持材２１０をスペーサー２０３ａに固定する。尚、仕切材と支持材の組合せは前記第一、第二の実施例のどちらかを組合せても良い。【００２０】    本発明の第三の実施形態に係る構成を図８に示す。図８は第三の実施例の正面図を示す。【００２１】    この光量調整材入り複層ガラス３００は第一の実施例の光量調整材入り複層ガラス１００の内、中段の光量調整材が無く上下段に光量調整材３０８が配置されている。このため人の目線に相当する高さ位置には光量調整材が無く透明感のある意匠が可能になり、上下の光量調整材３０８により太陽光の拡散・遮蔽も変化させる事ができる。【００２２】    本発明の第四の実施形態に係る構成を図９〜図１２に示す。図９は第四の実施例の正面図、図１０は図９のＡ−Ａ断面図、図１１は図９のＢ−Ｂ断面図、図１２は図９のＣ−Ｃ断面図を示す。【００２３】    この光量調整材入り複層ガラス４００は光量調整材としてアルミ板材等からなるルーバー材を使用したものである。ルーバー材は水平な横材４１５と垂直の縦材４１６を互いに格子点に切込みを入れ噛合わせたものである。光量調整材４０８ａ、光量調整材材４０８ｂ、光量調整材材４０８ｃは、それぞれ横材の断面において傾斜角度が異なり、光量調整材４０８ａは断面図において右斜めに傾斜し、光量調整材４０８ｂは水平、光量調整材材４０８ｃは左斜めに傾斜している。このように配置する事により上段の光量調整材材４０８ａでＣ方向からの太陽光の入射を防ぎ、中段の光量調整材材４０８ｂではＤ方向からの景色が透過し、目線を遮らず透明感のある意匠となり、下段の光量調整材４０８ｃではＥ方向からの視界を遮る効果がある。【００２４】    本発明の第五の実施形態に係る構成を図１３〜図１４に示す。図１３は第五の実施例の正面図、図１４は図１３のＡ−Ａ断面図を示す。【００２５】    この光量調整材入り複層ガラス５００は上段のみ光量調整材５０８が配置され、この光量調整材５０８は、横材５１５が断面三角形状の棒状アクリル透明樹脂等からなり、縦材５１６は、前記横材５１５が通過する穴を穿ったアクリル板材等からなり横材５１５とは接着剤等で固定されている。このように構成されているので図１４のようにＢ方向から入射した太陽光はプリズム作用によりＣ方向に反射して室内天井を照明無しで明るくする効果がある。
【図面の簡単な説明】
【００２６】
【図１】本発明の第一の実施形態に係る光量調整材入り複層ガラスの正面図である。
【図２】図１の光量調整材入り複層ガラスのＡ−Ａ断面図である。
【図３】図１の光量調整材入り複層ガラスのＢ−Ｂ断面図である。
【図４】図１の光量調整材入り複層ガラスのコーナー部分の断面図である。
【図５】本発明の第二の実施形態に係る光量調整材入り複層ガラスの正面図である。
【図６】図５の光量調整材入り複層ガラスのＡ−Ａ断面図である。
【図７】図５の光量調整材入り複層ガラスのＢ−Ｂ断面図である。
【図８】本発明の第三の実施形態に係る光量調整材入り複層ガラスの正面図である。
【図９】本発明の第四の実施形態に係る光量調整材入り複層ガラスの正面図である。
【図１０】図９の光量調整材入り複層ガラスのＡ−Ａ断面図である。
【図１１】図９の光量調整材入り複層ガラスのＢ−Ｂ断面図である。
【図１２】図９の光量調整材入り複層ガラスのＣ−Ｃ断面図である。
【図１３】本発明の第五の実施形態に係る光量調整材入り複層ガラスの正面図である。
【図１４】図１３の光量調整材入り複層ガラスのＡ−Ａ断面図である。
【符号の説明】
【００２７】１００、２００、３００、４００、５００  光量調整材入り複層ガラス
１０１、２０１、３０１、４０１、５０１  板ガラス
１０２、２０２、３０２、４０２、５０２  周囲部
１０３ａ、２０３ａ、３０３ａ、４０３ａ、５０３ａ  スペーサー
１０３ｂ、２０３ｂ、３０３ｂ、４０３ｂ、５０３ｂ  スペーサー
１０４、２０４、３０４、４０４、５０４  コーナーキー
１０５、２０５、３０５、４０５、５０５  一次封着剤
１０６、２０６、３０６、４０６、５０６  二次封着剤
１０７、２０７、３０７、４０７、５０７  空気層
１０８、２０８ａ、２０２ｂ、３０８、４０８ａ、４０８ｂ、４０８ｃ、５０８  光量調整材
１０９、２０９、３０９、４０９、５０９  仕切材
１１０、２１０、３１０、４１０、５１０  支持材
１１１、２１１、４１１、５１０  雌ネジ孔
１１２、２１２、４１２、５１２  雄ネジ部
１１３，２１３，４１３  乾燥剤
１１４，２１４，５１４  小孔
４１５ａ，４１５ｂ，４１５ｃ、５１５  横材
４１６ａ，４１６ｂ，４１６ｃ、５１６  縦材
【図１】
2010105898.tif 000003
【図２】
2010105898.tif 000004
【図３】
2010105898.tif 000005
【図４】
2010105898.tif 000006
【図５】
2010105898.tif 000007
【図６】
2010105898.tif 000008
【図７】
2010105898.tif 000009
【図８】
2010105898.tif 000010
【図９】
2010105898.tif 000011
【図１０】
2010105898.tif 000012
【図１１】
2010105898.tif 000013
【図１２】
2010105898.tif 000014
【図１３】
2010105898.tif 000015
【図１４】
2010105898.tif 000016